(57)【要約】【課題】便器本体の設置位置の条件、制約を緩和できる排水ソケットを提供する。【解決手段】排水ソケット２０の排水口接続部２３が有するフランジ部２６は、屈曲部２４の両側に位置する、ねじ固定用孔２６ａａを有した側フランジ２６ａと、横引き配管部２２と反対側に位置する前フランジ２６ｂとをすくなくとも備え、前フランジ２６ｂの突出程度が側フランジ２６ａの突出程度よりも小とされる。【選択図】図１
2020190143.tif 000002
【特許請求の範囲】
【請求項１】
便器本体の流出口と、床面に開設された排水口とを接続する排水ソケットであって、
前記流出口に接続される便器接続部と、前記排水口に接続される排水口接続部と、該便器接続部、該排水口接続部間を繋ぐ横引き配管部とを備え、
前記排水口接続部は、前記横引き配管部の端部より延びるように配された屈曲部と、該屈曲部に内部が連通するように筒状に延びた、前記排水口に装着される排水口挿入部と、該屈曲部、該排水口挿入部間の外面側の境界において周方向に突出した、床面上に設置されるフランジ部とを備え、
前記フランジ部は、前記屈曲部の前記横引き配管部の延びる方向に直交する方向の両側に位置する、ねじ固定用孔を有した側フランジと、前記横引き配管部と反対側に位置する前フランジとをすくなくとも備え、前記前フランジの突出程度が前記側フランジの突出程度よりも小とされることを特徴とする排水ソケット。
【請求項２】
請求項１において、
前記フランジ部の前記排水口挿入部側の面が略平面とされることを特徴とする排水ソケット。
【請求項３】
請求項１または２において、
前記フランジ部と前記屈曲部との入隅部には複数の縦リブが形成されていることを特徴とする排水ソケット。
【発明の詳細な説明】
【技術分野】
【０００１】
本発明は、便器本体の流出口と、床面に開設された排水口とを接続する排水ソケットに関する。
【背景技術】
【０００２】
従来の洋風便器装置には、便器本体（のトラップ）の流出口と、床面に開設された排水口とを平面的に離間させるようにして便器本体を設置する場合に、その離間距離を考慮して、排水ソケットが用いられている（例えば、特許文献１参照）。
【０００３】
この種の排水ソケットの排水口接続部の屈曲部の周囲に突出させるように設けたフランジ部は、平面外形を略円形状としている。例えば特許文献１のものにおいても同様とされ、フランジ部のうち、屈曲部の両側に位置する側フランジおよび屈曲部の前側に位置する前フランジは、屈曲部からの突出寸法が同程度とされている。なお、側フランジには、ねじ固定用孔が設けられており、屈曲部前側にはねじ固定用孔は設けられていない。
【０００４】
このようにねじ固定用孔が開設されていないにもかかわらず、フランジ部の前フランジを側フランジと同じように突出させているのは、排水口に直接装着される、排水ソケット本体とは別体の挿入部付きの床フランジを確実に覆うためである。また、このような二重構造を考慮して、大きく突出させた前フランジにおいても、ねじ固定用孔を設けることが可能である。なお、このような床フランジを設ければ、屈曲部側の排出口と床面の排水口との位置ずれを吸収できるが、そのためにも前フランジは大きく突出させる必要がある。
【先行技術文献】
【特許文献】
【０００５】
【特許文献１】特開２０１４−１８１４４１号公報
【発明の概要】
【発明が解決しようとする課題】
【０００６】
ところで、上記のような排水ソケットを用いる場合には、当然に、排水ソケットの排水口接続部と排水口との接続部分を便器本体の周壁で隠す必要がある。したがって、フランジ部の前フランジも周壁で覆われるように便器本体を設置しなければならない。つまり、前フランジの突出の程度が大きければ、その前フランジの先端位置よりも前方に周壁の前端部を配するように便器本体を設置しなければならない。
【０００７】
ようするに、前フランジの突出の程度が大きくなればなるほど、便器本体をトイレ室の後壁から大きく離間させるように設置しなければならず、便器本体の設置位置の条件、制約がきびしくなり、リフォームにも対応できないおそれがある。
【０００８】
本発明は、このような事情を考慮して提案されたもので、その目的は、便器本体の設置位置の条件、制約を緩和できる排水ソケットを提供することにある。
【課題を解決するための手段】
【０００９】
上記目的を達成するために、本発明の排水ソケットは、便器本体の流出口と、床面に開設された排水口とを接続する排水ソケットであって、前記流出口に接続される便器接続部と、前記排水口に接続される排水口接続部と、該便器接続部、該排水口接続部間を繋ぐ横引き配管部とを備え、前記排水口接続部は、前記横引き配管部の端部より延びるように配された屈曲部と、該屈曲部に内部が連通するように筒状に延びた、前記排水口に装着される排水口挿入部と、該屈曲部、該排水口挿入部間の外面側の境界において周方向に突出した、床面上に設置されるフランジ部とを備え、前記フランジ部は、前記屈曲部の前記横引き配管部の延びる方向に直交する方向の両側に位置する、ねじ固定用孔を有した側フランジと、前記横引き配管部と反対側に位置する前フランジとをすくなくとも備え、前記前フランジの突出程度が前記側フランジの突出程度よりも小とされることを特徴とする。
【発明の効果】
【００１０】
本発明の排水ソケットは上述した構成とされているため、便器本体の設置位置の条件、制約を緩和することができる。
【図面の簡単な説明】
【００１１】
【図１】本発明の一実施形態に係る排水ソケットの説明図である。（ａ）は排水ソケットの縦断面図、（ｂ）は排水ソケットの排水口接続部の平面図、（ｃ）は同斜視図である。
【図２】排水ソケットの洋風便器装置に対する設置態様を示す縦断面図である。
【図３】本排水ソケットの前端位置を説明するための図であり、図１（ａ）の部分縦断面に対応している。
【発明を実施するための形態】
【００１２】
以下に、本発明の実施の形態について、添付図面を参照しながら説明する。まず、本排水ソケット２０の概略基本構成について記述する。なお、以下では、排水ソケット２０を取り付ける便器装置１を基準として、前後、上下等の方向を規定して説明する。
【００１３】
排水ソケット２０は、図１および図２に示すように、便器本体１０の流出口１３と、床面５に開設された排水口７とを接続するものである。流出口１３に接続される便器接続部２１と、排水口７に接続される排水口接続部２３と、便器接続部２１、排水口接続部２３間を繋ぐ横引き配管部２２とを備えている。
【００１４】
排水口接続部２３は、屈曲部２４と排水口挿入部２５とフランジ部２６とを備えた構成とされる。屈曲部２４は横引き配管部２２の端部より延びるように配され、排水口挿入部２５は、排水口７に挿入されて装着される部位であり、屈曲部２４に内部が連通するように筒状に延びてなる。この排水口挿入部２５の外形は、管の厚みを変えることで下方に向けてすぼんだテーパ形状とされている。また、フランジ部２６は、図１（ｂ）（ｃ）に示すように、床面５上に設置される部位であり、屈曲部２４、排水口挿入部２５間の外面側の境界において周方向に突出している。
【００１５】
フランジ部２６は、屈曲部２４の横引き配管部２２の延びる方向に直交する方向の両側に位置する、ねじ固定用孔２６ａａを有した側フランジ２６ａと、横引き配管部２２と反対側に位置する前フランジ２６ｂとをすくなくとも備えている。前フランジ２６ｂの突出程度は、側フランジ２６ａの突出程度よりも小とされる。
【００１６】
また、排水ソケット２０を取り付ける便器装置１は、図２に示すように、上記便器本体１０と、便器本体１０を囲う周壁１５とを備えている。便器本体１０は、すり鉢状に底部側が窄んだ形状のボウル１１と、ボウル１１の底部側の出口１１ａに接続されたトラップ１２と、便座（不図示）と、便蓋（不図示）とを備えている。
【００１７】
このトラップ１２は機械動作型のもので、図２に２点鎖線の矢印で示したように、封水姿勢（上位置）と排水姿勢（下位置）との間で切り替えができるように筒状蛇腹構造とされている。このトラップ１２はトラップケース１４内に配されており、トラップ１２の出口１２ａから排出される排水が、トラップケース１４の下端開口部（便器本体１０の流出口１３）より排出されるようになっている。この流出口１３は筒状となっており、排水ソケット２０の排水入り口部２１ａに接続される。
【００１８】
便器本体１０の周壁１５は、ボウル１１およびトラップ１２の周囲に、それらを隠すように配されている。
【００１９】
また、この周壁１５は上記排水口７も囲むようにも配設されている。この排水口７は便器本体１０の流出口１３よりも前方で、ボウル１１の前部の下方に位置している。この排水口７に排水ソケット２０の排水口接続部２３の排水口挿入部２５が接続される。したがって、便器本体１０の流出口１３と、排水口７とを繋ぐように配される排水ソケット２０も、この周壁１５により隠される。
【００２０】
本排水ソケット２０が配設され得る便器装置１は、図２に示した機械動作型のトラップ１２を有したものには限らず、固定型トラップを有した便器装置にも適用が可能である。すくなくとも、床面５に設けられた排水口７と、便器本体１０の流出口１３とが前後方向において離間したものであれば、このような排水ソケット２０を利用することができる。
【００２１】
ついで、排水ソケット２０の詳細な構成および排水ソケット２０と便器装置１との関係について、図１〜図３にもとづいて詳述する。
【００２２】
排水ソケット２０は、上述したように、便器接続部２１と横引き配管部２２と排水口接続部２３とを備えているが、本実施形態のものは、それらの各部の区切りとは異なるように分離可能とした３部材で構成されている。具体的には、排水ソケット２０は、第１構成材３１と第２構成材３２と調整連結具３３との３部材よりなる。
【００２３】
第１構成材３１は、図１（ａ）に示すように、排水入り口部２１ａを有した便器接続部２１と、横引き配管部２２の便器接続部２１側の一部の筒状部３１ａとが一体化された部材である。なお、第１構成材３１の排水入り口部２１ａの下側には、第１構成材３１を床面５に安定して設置されるための設置台部３１ｃが一体に形成されている。
【００２４】
第２構成材３２は、横引き配管部２２に接続される、排水口接続部２３に対応した部材であり（図１（ｂ）（ｃ）参照）、そのために便器側には、排水口接続部２３の本体筒部よりも径大とした便器側開口部３２ａが備えてある。この便器側開口部３２ａの外面下部は高さ調整のために厚く形成されている。
【００２５】
また、調整連結具３３は、調整連結具３３自身を第１構成材３１と第２構成材３２との間に連結することで、第１構成材３１の筒状部３１ａと、調整連結具３３とにより横引き配管部２２を構成するための筒状の部材である。なお、横引き配管部２２の内底面には排水のための水勾配が設けられていることが望ましい。
【００２６】
この調整連結具３３は、大径部３３ａと小径部３３ｂとを有し、大径部３３ａが第１構成材３１の筒状部３１ａの排水側開口部３１ｂに対し外嵌するようにして接続される。また、小径部３３ｂは、第２構成材３２の便器側開口部３２ａに対し内嵌するようにして接続される。
【００２７】
排水ソケット２０は、前後方向において、トラップ１２の排水姿勢での位置（便器接続部２１の排水入り口部２１ａの位置）と、排水口７とを繋ぐ部材であるから、排水ソケット２０の全長は、排水姿勢位置、排水口７位置間の距離に略合致させる必要がある。そのような長さにするために、小径部３３ｂを切断により長さ調整できるようになっている。なお、排水ソケット２０としては、このような調整連結具３３を用いない構成であってもよい。例えば、２材（例えば第１構成材３１と第２構成材３２）を連結するものであってもよいし、４材（例えば第１構成材３１と第２構成材３２と２個の調整連結具３３）で構成されたものであってもよい。
【００２８】
第２構成材３２が対応した排水口接続部２３は、便器側開口部３２ａと、屈曲部２４と、排水口挿入部２５と、フランジ部２６とを含んで構成されている。便器側開口部３２ａから屈曲部２４を介して排水口挿入部２５までは、内部が連通している。
【００２９】
この排水口挿入部２５を排水口７に挿入、装着し、後方の便器接続部２１の排水入り口部２１ａを便器本体１０の流出口１３（トラップケース１４の下端開口部）の位置に合致するように配することで、排水ソケット２０は適正な位置に配される（図１（ａ）、図２参照）。このように排水ソケット２０を正しく設置した状態で、フランジ部２６の裏面が床面５に当接する。
【００３０】
フランジ部２６は、図１（ｂ）に示すように、屈曲部２４の両側、つまり横引き配管部２２の長手方向（排水流れ方向）に直交する方向における両側に位置する２つの側フランジ２６ａと、屈曲部２４の前側に位置する前フランジ２６ｂとを有してなる。なお、フランジ部２６の後部は、便器側開口部３２ａの外面下部に相当する。
【００３１】
側フランジ２６ａは、図１（ｂ）に示すように、平面視で屈曲部２４の両側に、外形を湾曲または多角形形状として翼状に突出している。この側フランジ２６ａのそれぞれには、外縁の形状におおむね沿うように前後に並んだ、床面５にねじで接続するための２つのねじ固定用孔２６ａａが開設されている。
【００３２】
一方、前フランジ２６ｂは外形が略円弧形状となるように突出している。その円弧は、その両端が、側フランジ２６ａの外縁の内方側（両外縁が近づく方向）に位置し、かつ側フランジ２６ａの前端縁２６ａｂと鈍角状の折曲部２６ｂａに位置するように配されている。
【００３３】
ようするに、前フランジ２６ｂは、側フランジ２６ａの外縁の前端同士を、折曲することなく前方へ、前フラに２６ｂと同心円の円弧を描くように結んだ仮想湾曲線２７（図１（ｂ）の２点鎖線）よりも後方に控えるように、切り欠いたような形状とされている。つまり、前フランジ２６ｂには、側フランジ２６ａの２つのねじ固定用孔２６ａａを設けた部位が前方に延びるように形成されておらず、前フランジ２６ｂにはねじで固定するための孔も設けられていない。
【００３４】
前フランジ２６ｂをこのような形状とすることで、排水口７の中心Ｘ（図１（ｂ）参照）から外縁までの寸法Ａは、排水口７の中心Ｘから側フランジ２６ａの外縁までの寸法Ｂよりも十分に小さい（図１（ｂ）参照）。つまり、平面視における排水ソケット２０の中心線と、前フランジ２６ｂの円弧形状の外縁とが交差する前端位置Ｃは、中心線と仮想湾曲線２７とが交差する前端位置Ｄよりも後方に位置する（図１（ｂ）参照）。
【００３５】
図３は、前端位置Ｃ（本排水ソケット２０）と、前端位置Ｄ（前端位置Ｄに対応した排水ソケット２００）を比較した模式的縦断面図である。便器装置１の周壁１５は、その前端部１５ａの下端が前端位置Ｃ、前端位置Ｄよりも前方に配されるように設置する必要がある。したがって、前端位置Ｃ、前端位置Ｄと、周壁１５の前端部１５ａとの間の距離を同一とした場合、前端位置Ｃの場合の前端部１５ａのほうが、前端位置Ｄの場合の前端部１５ａよりも後ろ側となる。
【００３６】
ようするに、図１（ｂ）に示すような、前フランジ２６ｂの前方への突出程度を側フランジ２６ａの突出程度よりも小さくすることで、便器装置１の全体をトイレ室の後壁（不図示）に近づけることができる。換言すれば、排水ソケット２０の排水口接続部２３のフランジ部２６を、図１（ｂ）のような形状とすることが、便器本体１０つまり便器装置１の設置位置の条件、制約が減少し、設置位置の自由度を増すことにつながる。
【００３７】
また、フランジ部２６の裏面（排水口挿入部２５側の面）は、側フランジ２６ａに設けたねじ固定用孔２６ａａを除き略平面とされている。したがって、排水ソケット２０を適切に配置すれば、フランジ部２６はその略全体が床面５に密着する。そのため、排水ソケット２０の安定した設置を実現することができる。
【００３８】
また、排水口挿入部２５が排水口７に内嵌され、フランジ部２６が床面５に密着する構造であるため、排水ソケット２０の排水口接続部２３がずれたり傾いたりすることを防止でき、排水の漏れ出しも防止することができる。
【００３９】
また、排水口挿入部２５は排水ソケット２０の一部として排水口接続部２３に一体に形成されているため、従来の排水ソケットの取り付けにおいて用いる別体の床フランジを必要としない。そのため、排水口挿入部２５を排水口７に対して寸法誤差がないように形成する必要がある。しかしながら、本実施形態のものは排水口挿入部２５が下方に向けてすぼんだテーパ形状となっているため、多少の誤差があっても、排水口７に対してしっかりと装着させることができる。
【００４０】
本排水ソケット２０がこのような構造とされているため、フランジ部２６の前フランジ２６ｂでねじ固定をしなくても問題はない。ようするに、前フランジ２６ｂの突出程度を側フランジ２６ａの突出程度よりも小さくすることに、排水ソケット２０の設置強度の問題はない。
【００４１】
なお、以上に説明した実施形態では、フランジ部２６の前フランジ２６ｂの形状を円弧形状としているが、それ以外の形状でもよく、突出程度が小さくなっていれば、つまり前端位置Ｃ（図１（ｂ）参照）ができるだけ後方にあれば、種々の形状が許容される。例えば、前フランジ２６ｂを、図１（ｂ）における２つの折曲部２６ｂａを直線で結んで、その前側を切除したような形状としてもよい。またさらに、排水口挿入部２５が、その上下寸法内（テーパ面の範囲内）で確実に排水口７に装着し、固定されるものであれば、前フランジ２６ｂは実質的に形成されなくてもよい。つまり、前フランジ２６ｂの突出寸法は０（ゼロ）であってもよい。なお、排水口挿入部２５はテーパ形状ではなく、一定の外径の管体であってもよい。
【００４２】
また、図１（ｂ）などに図示してあるように、屈曲部２４とフランジ部２６との入隅部には周方向に沿って、側面視で三角形状の複数の縦リブ２８が形成されている。この縦リブ２８により、フランジ部２６が補強され、破損を防止することができる。特に前側では、前フランジ２６ｂの突出程度が小さいため、縦リブ２８により強度向上を図ることができる。
【符号の説明】
【００４３】
１          便器装置
５          床面
７          排水口
１０        便器本体
１３        流出口
５          床面
７          排水口
２０        排水ソケット
２１        便器接続部
２２        横引き配管部
２３        排水口接続部
２４        屈曲部
２５        排水口挿入部
２６        フランジ部
２６ａ      側フランジ
２６ａａ    ねじ固定用孔
２６ｂ      前フランジ
２８        縦リブ
【図１】
2020190143.tif 000003
【図２】
2020190143.tif 000004
【図３】
2020190143.tif 000005